(57)【要約】本発明は、一方ではその重量が最小限にされ、かつその剛性が最適化され、他方では弾性中間層上で支持されるのに適しているベースプレート及び、該ベースプレートを備えたファスナーを提供する。この目的を達成するため、レール（Ｓ）を固定底部支持体（２）に締結するための本発明のベースプレート（３）は、プラスチック材料製であり、かつ固定底部支持体（２）と関連するベースプレート（３）の裏側（Ｕ）に形成又は成形されているリブ（３ｔ）と、これらのリブ（３ｔ）間に存在する凹部（３ｕ）とで形成される補剛構造（３ｓ）を有し、本発明に従って、補剛構造（３ｓ）の凹部（３ｕ）が充填材料（Ｔ）で閉鎖されている。【選択図】図６
2013505377.tif 000002
【特許請求の範囲】
【請求項１】
レール（Ｓ）を固定底部支持体（２）に締結するためのベースプレートであって、プラスチック材料製であり、かつ前記固定底部支持体（２）と関連する前記ベースプレート（３）の裏側（Ｕ）に形成又は成形されているリブ（３ｔ）と、これらのリブ（３ｔ）間に存在する凹部（３ｕ）とで形成される補剛構造（３ｓ）でできているベースプレート（３）において、前記補剛構造（３ｓ）の凹部（３ｕ）が充填材料（Ｔ）で閉鎖されていることを特徴とするベースプレート。
【請求項２】
前記充填材料が、前記補剛構造（３ｓ）の凹部（３ｕ）を完全に充填することを特徴とする請求項１に記載のベースプレート。
【請求項３】
前記充填材料（Ｔ）が、消音特性を有することを特徴とする請求項１〜２のいずれか１項に記載のベースプレート。
【請求項４】
前記ベースプレート（３）の上側（Ｏ）に、適所に締結すべきレール（Ｓ）用の支持面（３ｃ）があり、この支持面（３ｃ）が、適所に締結すべきレール（Ｓ）の縦方向（Ｌ）に整列されている該支持面（３ｃ）の縦側にそれぞれの支持肩部（３ｅ）で境界が定められていることを特徴とする請求項１〜３のいずれか１項に記載のベースプレート。
【請求項５】
弾力的部材（８ａ、８ｂ）をきつく締めるためのそれぞれの締付け部材（１０ａ、１０ｂ）を前記支持肩部（３ｄ、３ｅ）に締結することができ、前記弾力的部材（８ａ、８ｂ）は、適所に締結すべきレール（Ｓ）を押下するように意図されることを特徴とする請求項４に記載のベースプレート。
【請求項６】
前記締付け部材（１０ａ、１０ｂ）を適所に締結できるようにするため、前記ベースプレート（３）の上側（Ｏ）からその裏側（Ｕ）に伸びる貫通開口（３ｇ、３ｈ）が、所定の前記支持肩部（３ｄ、３ｅ）内に形成又は成形されていることを特徴とする請求項５に記載のベースプレート。
【請求項７】
前記締付け部材（１０ａ、１０ｂ）が多角形頭部（１０ｃ）を有する締付けボルトであり、かつ前記ベースプレート（３）の裏側（Ｕ）には、前記貫通開口（３ｇ、３ｈ）の口部の領域にレセプタクル（３ｉ、３ｈ）が形成又は成形されており、その円周壁（３ｋ）上では、前記ボルト頭部（１０ｃ）の各側面（１０ｄ）が接触面（３ｌ）をそれと関連づけ、この接触面（３ｌ）は、前記ボルト頭部（１０ｃ）の関連側面（１０ｄ）のいずれでもその長さ部分（Ｌａ）にわたって広がり、かつ設置状態では、前記ボルト頭部（１０ｃ）の関連側面（１０ｄ）が該接触面（３ｌ）にもたれて平面支持を有し、前記接触面（３ｌ）は、前記円周壁（３ｋ）上に相互に間隔を空けて配置され、かつ前記レセプタクル（３ｉ、３ｊ）の円周壁（３ｋ）には、各対の隣接する接触面（３ｌ）間に、完全に設置された状態で前記ボルト頭部（１０ｃ）と前記レセプタクル（３ｉ、３ｊ）の円周壁（３ｋ）との間に接触のない領域に凹所（３ｍ）が形成又は成形されていることを特徴とする請求項６に記載のベースプレート。
【請求項８】
平面視したとき、前記支持面（３ｃ）の領域にくびれを有することを特徴とする請求項４〜７のいずれか１項に記載のベースプレート。
【請求項９】
前記ベースプレート（３）の裏側（Ｕ）に、この裏側（Ｕ）から離れる方へ向き、かつ止め具として作用する少なくとも１つの突出部（３ｒ）が形成されていることを特徴とする請求項１〜８のいずれか１項に記載のベースプレート。
【請求項１０】
押下スリーブ（６ａ〜６ｄ）用の、前記ベースプレート（３）の上側（Ｏ）からその裏側（Ｕ）に伸びる少なくとも１つの開口（３ｏ）を有し、前記押下スリーブ（６ａ〜６ｄ）が、完全に設置された状態で前記ベースプレート（３）の上側に重みをかける、その円周面から突出する突出部（６ｇ）を有することを特徴とする請求項１〜９のいずれか１項に記載のベースプレート。
【請求項１１】
前記押下スリーブが偏心スリーブ（６ａ〜６ｄ）の形をとり、かつ前記スリーブ用開口（３ｏ）内に、相互に間隔を空けて配置される指標付け用マーカー（３ｑ）が、前記スリーブ用開口（３ｏ）の中心縦軸（Ｍｈ）からの前記偏心スリーブ（６ａ〜６ｄ）の回転軸の偏心度を斟酌するように形成され、この指標付け用マーカー（３ｑ）は、前記偏心スリーブ（６ａ〜６ｄ）が前記スリーブ用開口（３ｏ）内のその回転軸の周りの回転中に調整される場合に前記偏心スリーブ（６ａ〜６ｄ）の回転位置を規定し、この回転位置は、規定量による前記ベースプレート（３）の位置の段階的な変化に対応することを特徴とする請求項１０に記載のベースプレート。
【請求項１２】
固定底部支持体（２）にレール（Ｓ）を締結するためのファスナーであって、請求項１〜１１のいずれか１項に従って形成されたベースプレート（３）及びこのベースプレート（３）と前記固定底部支持体（２）の間に配置される弾性材料の中間層（４）を有する、ファスナー。
【請求項１３】
前記ベースプレート（３）が請求項１０又は１１に従って形成され、押下スリーブ（６ａ〜６ｄ）が設けられ、この押下スリーブ（６ａ〜６ｄ）は、前記ベースプレート（３）の上側から、前記ベースプレート（３）内の該押下スリーブ（６ａ〜６ｄ）と関連する前記スリーブ用開口（３ｏ）を通して滑りばめとして挿入可能であり、この押下スリーブ（６ａ〜６ｄ）の高さ（Ｈｅ）は、該押下スリーブ（６ａ〜６ｄ）と関連する前記スリーブ用開口（３ｏ）の領域内の前記ベースプレート（３）の厚さより大きく、かつこの押下スリーブ（６ａ〜６ｄ）は、完全に設置された状態で前記ベースプレート（３）の上側に重みをかける、その円周面から突出する突出部（６ｇ）を有し、かつ前記押下スリーブ（６ａ〜６ｄ）の前記開口（３ｏ）を通して挿入できる締結部材（７ａ〜７ｄ）が、前記固定底部支持体（２）に前記押下スリーブ（６ａ〜６ｄ）を締結するように意図されることを特徴とする請求項１２に記載のファスナー。
【請求項１４】
前記ベースプレート（３）が請求項１１に従って形成され、前記押下スリーブが偏心スリーブ（６ａ〜６ｄ）の形をとり、かつ前記押下スリーブ（６ａ〜６ｄ）が、前記スリーブ用開口（３ｏ）内の前記指標付け用マーカー（３ｑ）に対応する造形部材（６ｆ）を有し、この造形部材（６ｆ）を利用して、前記押下スリーブ（６ａ〜６ｄ）と関連する前記スリーブ用開口（３ｏ）内に挿入された前記押下スリーブ（６ａ〜６ｄ）が、前記スリーブ用開口（３ｏ）内の前記指標付け用マーカー（３ｑ）の所定の１つに確実嵌合によって連結されることを特徴とする請求項１３に記載のファスナー。
【請求項１５】
前記弾性中間層（４）と前記固定底部支持体（２）の間にキャリアプレート（５）が配置されていることを特徴とする請求項１２〜１４のいずれか１項に記載のファスナー。
【発明の詳細な説明】
【技術分野】
【０００１】
本発明は、固定底部支持体にレールを締結するためのベースプレートであって、プラスチック材料製であり、かつベースプレートの裏側に形成又は成形されているリブと、このリブ間に存在する凹部とによって形成される補剛構造でできており、ベースプレートの裏側が固定底部支持体と関連するベースプレートに関する。
【０００２】
これのみならず、本発明は、この種のベースプレートを使用することによって製造されるレール用ファスナーにも関する。
【背景技術】
【０００３】
実際には、名称「ＥＣＦ」で提供されている、鋼鉄製ベースプレートの支持面上にレールが立っているレール締結システムが知られている。適所に締結すべきレールの縦方向に整列しているその縦側で、支持面がそれぞれのリブによって境界が定められており、完全に設置された状態のときには、レールの脚部がリブに抗して横方向に案内される。リブは、締付けボルト用のマウンティングとしても作用し、締付けボルトの頭部は、リブ内に形成又は成形されたレセプタクル（receptacle, Aufnahme（英、独訳））に確実嵌合（positive-fit, formschluessig（英、独訳））によって着座し、締付けボルトの軸部は、Ｗ形締付けクリップの中心ループをベースプレートの上側から離れる方向に通過する。そして、締付けボルト上にねじ込まれるナットを利用して、締付けクリップの弾力的アームの自由端によってレールの脚部の所定の面に十分に高い押下力が働くように、締付けクリップがベースプレートに対してきつく締められる。
【０００４】
この場合、ＥＣＦシステムによって形成されたレールファスナーは、その上を鉄道車両が走行するときに、弾性中間層によってたわむ十分な能力を有することが保証され、この中間層は、ベースプレートと、所定の場合に固い支持体であればどんなものでもその上に載っているキャリアプレートとの間に配置される。
【０００５】
所定の場合に必要とされるどんな軌道ゲージにもレールの位置を調整できるようにするため、ＥＣＦシステムには、支持面を越えて横方向に突出するベースプレートの領域に、それぞれのスリーブ用開口が形成又は成形されており、これらの開口は、該領域の上側からそれらの裏側に伸び、該開口内に、押下スリーブを形成するように設計された偏心スリーブを着座させる。この場合、偏心スリーブは、設置位置で最上部にあるその端部において、スリーブの円周面の周りに伸長し、設置位置でベースプレートの上面に載っているカラーの形の突出部を有する。同時に、この突出カラーの裏側と、設置位置で底部にある偏心スリーブの当該端部との間に残される高さ方向の距離は、スリーブが、完全に設置された状態でキャリアプレート上に立つような大きさである。この場合、ボルトが偏心スリーブ用開口を通って挿入され、このボルトは、固定底部支持体に差し込まれたアンカーにねじ込まれ、ひいてはスリーブ用の回転軸を作り出す。この設計によって達成されることは、一方では押下装置として作用する偏心スリーブを利用して規定押下力で固定底部支持体に対してベースプレートがきつく締められることである。他方では、所要の軌道ゲージにレールの位置を調整するため、偏心スリーブを回転させることによって、ベースプレートの位置、及びそれと共にその上に立っているレールの位置をレールの縦の広がりに直角の方向に変えられることである。
【０００６】
ベースプレートを製造するために使用する鋼鉄材のため、ベースプレートの重量が重く、かつベースプレートを設計及び構成するときには存在している自由をも制限することが、レールを適所に締結するための既知のＥＣＦシステムの欠点である。
【０００７】
鋼鉄製の上述した種類のベースプレートの欠点を回避するため、初めのパラグラフで特定した種類のベースプレートが特許文献１で提案されている。この公知ベースプレートは、固定底部支持体と関連するその裏側に、リブを交差させ、これらのリブ間にそれぞれの未充填凹所を画定することによって形成される補剛構造を有する。さらに、ベースプレートには、締付けボルトとして作用してベースプレートに対して締付けクリップをきつく締めるための通常の六角頭形のボルトをベースプレートの裏側から挿入できる貫通開口が形成又は成形されている。この場合、締付けボルトの頭部用に、ベースプレートの裏側に形成又は成形され、かつ同様に六角形であるレセプタクルが設けられ、完全に設置された状態では、このレセプタクル内にボルトの頭部が確実嵌合で着座される。
【０００８】
プラスチック材料で構成される特許文献１から公知のベースプレートは、所定の場合にどんな固定底部支持体であってもその上に直接置かれるように意図されている。十分にしっかりした保持が得られるように、その各狭小側に３つの貫通開口が設けられ、各貫通開口を通して、固い底部支持体にねじ込める締付けボルトが挿入される。この場合、軌道ゲージのいずれの調整についても又は弾性的に取り付けるべきレールについても何ら規定が設けられていない。
【先行技術文献】
【特許文献】
【０００９】
【特許文献１】欧州特許出願公開第１９５０３４７（Ａ２）号明細書
【発明の概要】
【発明が解決しようとする課題】
【００１０】
上記先行技術を背景にして、本発明の目的は、一方ではその重量が最小限にされ、かつその剛性が最適化され、他方では弾性中間層上で支持されるのに適しているベースプレートを設計することだった。これのみならず、ベースプレートを容易に設置できるように最適化され、かつ使用中に最適化特性を有するファスナーを提供することをも意図した。
【課題を解決するための手段】
【００１１】
ベースプレートに関しては、本発明は、請求項１で定義するようにベースプレートを設計することによって、この目的を達成した。本発明のベースプレートの有利な実施形態は、請求項１を引用する請求項で特定され、それらについては以下に詳細に説明する。
【００１２】
ファスナーに関しては、この目的は、請求項１２で特定するファスナーによって本発明により達成された。本発明のファスナーの有利な実施形態は、請求項１２を引用する請求項で特定され、それらについても同様に以下に詳細に説明する。
【００１３】
固定底部支持体にレールを締結するためのプラスチック材料製の本発明のベースプレートでは、ベースプレートの裏側に形成又は成形される補剛構造の凹部の少なくともいくつか、好ましくは全てが充填材料で閉鎖されている。凹部を充填することによって、この種のベースプレートが弾性層上に設置されているときに、補剛構造の、荷重下の弾性中間層にそれ自体を押し付けて、弾性中間層に持続的な損傷を及ぼすリスクが回避される。この関連で「閉鎖される」という表現が意味することは、システムが完全に設置されているとき、システムによって形成された締結点上を走行する鉄道車両によって荷重が加えられる場合に、ベースプレート上のリブが、最大でも、永久的損傷を及ぼさないように十分小さい量によってのみ弾性中間層にリブ自体を押し付けることを保証する、何らかの方法で凹部を充填することである。
【００１４】
ベースプレートを上に置くべき弾性層の感受性及び耐荷重能力によっては、充填材料で充填することが凹部のいくつかだけに有用なこともある。このように、考えが浮かぶ手順は、凹部が規則的に整列している場合は、充填された２つの凹部間に１つ以上の凹部を未充填のままにすることである。但し、このことが、弾性中間層による永久的弾性挙動を保証するように前もってセットされている単位面積当たりのプリセット許容荷重を、荷重下で超えさせないことを条件とする。しかしながら、本発明のベースプレート上の補剛構造の全ての凹部が成形材料で充填される場合、製造が特に簡単になり、作動が特に安全かつ信頼できる。
【００１５】
この場合、充填材料の耐荷重能力によっては、薄層の形で、ある種の蓋のように所定凹部を裏側と関連するその開口部で単に閉鎖すれば十分なこともある。上記の場合には、充填材料は、所定凹部の開口部を閉鎖する、例えば十分に厚いフィルム又はホイル又はプレート又はシートであってよい。
【００１６】
しかしながら特定荷重を支えられるように凹部を充填すべき場合、或いは充填材料が、さらに、消音を助けるか又は何らかの他の追加機能を果たすべき場合、凹部を充填材料で完全に充填すること又は充填材料が所定凹部を画定するリブより上に突出するように十分な充填材料を各凹部に置くことは等しく有用であろう。後者の場合、正確には、このことが実作動中にリブが弾性中間層に損傷を及ぼさないという特に信頼できる保証を与える。
【００１７】
充填材料の形での充填は、例えばベースプレートの製造後のような、作業の別々の段階で所定凹部にいつでも導入することができる。この目的のため、充填材料を流動可能状態で凹部に注入するか、或いは予め製造した造形部材として充填部材を挿入してよい。
【００１８】
ベースプレートの製造用のプラスチック材料として考え得るものは、例えばガラス繊維強化ポリアミドである。一方で、充填材料として好適なものは非強化ポリアミドである。
【００１９】
レールの横方向の案内のため、適所に締結すべきレールの支持面を本発明のベースプレートの上側に既知様式で形成してもよく、この支持面は、適所に締結すべきレールの縦方向に整列されているその縦側にそれぞれの支持肩部によって境界が定められている。そして、レールを適所に締結するために押下するように意図された弾力的部材をきつく締めるためのそれぞれの締付け部材を支持肩部に締結できるようにしてよい。この目的のため、ベースプレートの上側からその裏側に伸びる貫通開口を所定の支持肩部にこの場合もやはり既知の様式で形成又は成形することができる。この場合一方では弾力的部材をきつく締める作業中に締結ボルトが確実に保持されることを容易に保証するため、他方ではベースプレートの裏側から突出するボルト頭部によって弾性中間層が荷重をかけられるのを防止するため、貫通開口の口部の領域に、本発明に従って形成されたベースプレートの裏側にレセプタクルを形成又は成形してもよく、完全に設置された状態では、このレセプタクル内に、締付けボルトの多角形、特に六角形の頭部が着座される。
【００２０】
その頭部がレセプタクル内に着座される締付けボルトが、プラスチック材料製のベースプレートではこの目的のために挿入しなければならない別の金属部材などがなくても、所定の弾力的部材をきつく締めるときに生じ得る高いトルクにさえ耐えることができるように、本発明は、実用上の観点から重要なさらなる実施形態においては、ボルト頭部の各側面が、レセプタクルの円周壁に形成される接触面をそれと関連づけることを提案する。この場合、この接触面は、ボルト頭部の関連側面のいずれでもその長さ部分にわたって広がり、それによって、設置状態では、それぞれボルト頭部の関連側面が、それらとそれぞれ関連する接触面から平面支持を得られるようにする。
【００２１】
同時に、本発明のこの実施形態では、円周壁上の接触面は、相互に間隔を空けて配置され、これによって、レセプタクルの円周壁内に、各対の隣接する接触面間に、完全に設置された状態では、ボルト頭部とレセプタクルの円周壁との間に接触のない領域に凹所を形成又は成形できるようにする。レセプタクルについてこの種の設計によって達成されることは、トルク荷重下でさえ、レセプタクルの、荷重を受ける部分間に平面接触が存在し、これによって、受けるべき力が、比較的大きい面積にわたってレセプタクルを取り囲むベースプレートの部分に伝達されることである。
【００２２】
このようにして防止されることは、その形状が、レセプタクルが受けるべきボルト頭部の形状にぴったり一致している通常の設計のレセプタクルで生じる荷重ピークである。ボルト頭部がその関連レセプタクル内に着座するのに必然的なクリアランスのため、この場合はボルト頭部の側面間にある縁に規則的に生じるのは、全荷重が集中する狭い線形の接触領域である。この力の集中は非常に高くなり得るので、ボルト頭部がレセプタクル周囲の材料に食い込み、もはやボルト頭部が安全に保持される保証は何もない。本発明により達成されるボルト頭部の側面のための平面支持があれば、この危険はもはや存在しない。
【００２３】
ベースプレートに、平面視したとき、この支持面の領域にくびれを与えることによって、ベースプレートの重量のさらなる最小化を達成することができる。この実施形態では、レールの縦方向に測定した場合、ベースプレートの幅は、レールの脚部直下に位置する領域におけるより、設置位置で横方向にレールを越えて突出するベースプレートの部分の方が広い。このように、余分な重量を削減するのみならず、より広い横部分が、レール上を走行されるときに作用する横方向力に対してレールに最適の支持を与えることにも寄与する。
【００２４】
ベースプレートの裏側に、その裏側で、裏側から離れる方を向き、かつ止め具としても作用する少なくとも１つの突出部を形成することによっても、荷重下において弾性中間層の過剰な圧縮を防止することができ、またシステムが完全に設置されている場合に、鉄道車両がレール上を走行するとき、この突出部によって、弾性中間層の弾力性の結果として、走行によってベースプレートが沈む限度が設けられる。当該突出部は、所定の場合に固定底部支持体であれば何でもそれに向かって突出する、この場合はエプロンに倣ってベースプレートの周りに伸長し、これによって所定の場合にベースプレートが動くにもかかわらず、ベースプレートの沈む動きの止め具を全ての側面に確保することができる。この種の周囲突出部は、汚れ及び湿気に対して弾性中間層を保護するというさらなる利益を有する。しかしながら、当然に、代案として、それぞれの所定点に同じ目的のため個別の突出部を設けることも同様に考えられる。
【００２５】
ベースプレート内に押下スリーブ用の少なくとも１つの開口を形成又は成形することができ、この開口は、ベースプレートの上側からその裏側に伸び、かつ開口内には、押下スリーブが滑りばめ（sliding fit, Schiehesitz（英、独訳））で入り、押下スリーブの高さは、それと関連するスリーブ用開口の領域のベースプレートの厚さより大きく、かつ押下スリーブは、完全に設置された状態でベースプレートの上側に重みをかける、その円周面から突出する突出部を有し、その結果、この場合は締結部材が押下スリーブの開口を通って挿入されるように意図されている。この実施形態でスリーブ用開口に挿入された押下スリーブが、上で説明した先行技術と同じように行うことは、プリセット最大力によってのみベースプレートに荷重がかけられるようにすることである。これは、設置時の誤差によって損傷を受けることからプラスチック材料製のベースプレートを保護する安全かつ確実な方法である。同時に、スリーブは、安全かつ信頼できる握力をそれに与えるのに必要とされる限り、締結部材によってのみ弾性中間層が圧縮されることをも保証する。このようにして、弾性中間層がもたらす必要のある弾性力が、完全に設置された状態でさえ確実に得られる。この場合、スリーブがベースプレート内のその関連開口内に有する滑りばめは、ベースプレートが、その上を走行されるときに加えられる荷重の結果として生じる中間層のいずれの圧縮又は膨張にも、制約を受けずに確実に従えるようにする。
【００２６】
ベースプレート内に押下スリーブ用の少なくとも１つの開口を形成又は成形することができ、この開口は、ベースプレートの上側からその裏側に伸び、かつ開口内に、完全に設置された状態でベースプレートの上側に重みをかける、その円周面から突出する突出部を有する押下スリーブを滑りばめとして挿入することができる。
【００２７】
基本的に、本発明のベースプレートは、偏心スリーブの助けを借りて行われる軌道ゲージの調整に適している。本発明のベースプレートでこの機会を作り出すことを可能にするため、押下スリーブが偏心スリーブの形をとってよい。この場合、所定の場合に達成される調整をチェックできるようにするため（このチェックは特に簡単であり、かつ所定サイトで起こり得るラフな条件に適応している）、スリーブ用開口内に、指標付け用マーカーを形成してよい。これらの指標付け用マーカーは、スリーブ用開口の中心縦軸からの偏心スリーブの回転軸の偏心度を斟酌して、偏心スリーブが、スリーブ用開口内でその回転軸の周りの回転中に調整される場合（回転の位置は、規定量によるベースプレートの位置の段階的変化に対応する）、指標付け用マーカーが偏心スリーブの回転の位置を規定するように、相互に間隔を空けて配置される。押下スリーブは、同時に指標付け用マーカーに適合した造形部材をスリーブ用開口内に有し、この造形部材を利用して、前記押下スリーブと関連するスリーブ用開口内に挿入された押下スリーブが、スリーブ用開口内の指標付け用マーカーの所定の１つに確実嵌合によって連結されるので、如何なる面倒な測定もせずに理想的に正確な大きさに軌道ゲージの調整が達成されるように、敷設業者に分かり易いやり方でベースプレートの位置を何の問題もなく調整することができる。
【００２８】
固定底部支持体にレールを締結するための本発明のファスナーにおいては、本発明により形成されたベースプレートが、ベースプレートと固定底部支持体との間に配置される弾性材料の中間層上に載っている。
【００２９】
スリーブ用開口内に本発明のやり方で形成される指標付け用マーカーの場合には、押下スリーブに、スリーブ用開口内の指標付け用マーカーに対応する造形部材を与え、この造形部材を利用して、前記押下スリーブと関連するスリーブ用開口内に挿入される押下スリーブを該スリーブ用開口内の指標付け用マーカーの所定の１つに連結することによって、特に簡単な方法で押下スリーブを適所に固定することを達成することができる。
【００３０】
一方では固定底部支持体上にあるレールの支持ができるだけ均等であるが、他方では弾性中間層上のアブレシブ摩耗を最小限にもすることを保証するため、本発明の締結システムには、中間層と固定底部支持体との間に配置されるキャリアプレートがさらに設けられている。必要に応じて、比較的薄い鋼鉄シート若しくはプレート又は十分に強力なプラスチック材料でこれを作ることができる。
【００３１】
この場合、キャリアプレートは、ベースプレートに隣接するその上側に、ベースプレート上の突出部のような、固定底部支持体の方を向き、かつ既に上述したように、レール上を鉄道車両が走行するときにベースプレートの動きの止め具の機能を果たす突出部を有し得る。同時に、キャリアプレート上の突出部は、適切に構成すれば、弾性中間層用のレセプタクルを形成し得る。このことは、当該突出部が、中間層の円周の少なくとも十分な割合にわたって中間層の縁に沿って伸長しているか、或いは中間層の位置を固定するのに十分な数の個別突出部がキャリアプレート上に配置されている場合に特に当てはまる。
【００３２】
本発明のファスナーの設置は、ベースプレートと、その下に位置する中間層と、中間層の下に位置するキャリアプレートとで構成されるパックを組立済み位置で、設置のために結び付ける少なくとも１つのクリップを設けることによって単純化が可能である。
【００３３】
以下、実施形態を示す図面を参照して本発明を詳細に説明する。
【図面の簡単な説明】
【００３４】
【図１】レールを適所に締結するためのシステムの分解組立図である。
【図２】完全に設置された位置のシステムの平面図である。
【図３】完全に設置された位置で、レールの縦方向を向いて、一側面から見たシステムの図である。
【図４】完全に設置された位置で一側面から見たシステムの斜視図である。
【図５】ベースプレート及び関連偏心スリーブの上から見た斜視図である。
【図６】中に偏心スリーブが挿入されているベースプレートの下から見た斜視図である。
【図７】偏心スリーブの斜視図である。
【図８】ベースプレートの第１の拡大細部を示す下から見た斜視図である。
【図９】ベースプレートの第２の拡大細部を示す下から見た斜視図である。
【発明を実施するための形態】
【００３５】
本例では、コンクリート枕木（図示せず）によって形成される固定底部支持体２にレールＳを締結するためのシステム１は、プラスチック材料製のベースプレート３と、ベースプレート３の下に配置される弾性的に曲がりやすい（yielding, nachgiebigen（英、独訳））材料製の中間層４と、中間層４の下で、固定底部支持体２の上に配置されるキャリアプレート５と、４つの偏心スリーブ６ａ、６ｂ、６ｃ、６ｄと、それらと関連し、締結部材として作用するそれぞれの締結ボルト７ａ、７ｂ、７ｃ、７ｄと、２つの弾力的部材８ａ、８ｂと、２つのアダプター部品９ａ、９ｂと、２つの締付けボルト１０ａ、１０ｂとを含む。
【００３６】
平面視したとき、プラスチック製のベースプレート３は細長い骨様（bone-like, knochenartige（英、独訳））形状をしている。そのそれぞれの狭い側に隣接するその外側領域３ａ、３ｂは、この場合、適所に締結すべきレールＳの縦の広がりの方向Ｌに測定したとき、その中央領域よりかなり大きい幅Ｂの領域であり、より狭い中央領域からその隣接している幅広の外側領域３ａ、３ｂへの幅Ｂの変化は、段のない（step-free, sprungfreien（英、独訳））連続経路に沿って生じる。
【００３７】
中央領域には、ベースプレート３の上側Ｏに支持面３ｃが形成又は成形され、この支持面３ｃは、縦方向Ｌに伸長し、所定の場合にベースプレート３のより狭い中央領域の幅Ｂをいずれの幅にも広がり、かつベースプレート３の狭い側に対して横方向にそれぞれの肩部３ｄ、３ｅで境界が定められている。
【００３８】
反対側にある肩部３ｄ、３ｅの方に突出するハトの尾様（dovetail-like, schwalbenschwanzartiger（英、独訳））突出部３ｆが、肩部３ｄ、３ｅの各接触面に形成され、これらの接触面が支持面３ｃと関連する。相補的形状の凹所によって、アダプター部品９ａ、９ｂのそれぞれの凹所をこの突出部３ｆに適合させて、必要に応じて、突出部３ｆと、支持面３ｃの上に置かれるレールＳの脚部Ｆとの間の間隙を架橋し、このようにしてレールＳのための安全かつ信頼できる横方向の案内を確保することができる。
【００３９】
肩部３ｄ、３ｅには、支持面３ｃに密接に隣接し、かつ縦方向Ｌの肩部の広がりに対して中央の位置に、ベースプレート３の上側Ｏからその裏側Ｕに伸びるそれぞれの貫通開口３ｇ、３ｈが形成又は成形されている。通常の六角ボルトに倣って構成されるそれぞれの締付けボルト１０ａ、１０ｂが、ベースプレート３の裏側Ｕから貫通開口３ｇ、３ｈを通って挿入される。この場合、締付けボルト１０ａ、１０ｂの頭部１０ｃが、ベースプレート３の裏側Ｕに形成又は成形され、かつ貫通開口３ｇ、３ｈのそれぞれの口部の領域に配置されるそれぞれのレセプタクル３ｉ、３ｊに着座される。
【００４０】
レセプタクル３ｉ、３ｊは、ベースプレート３に一体的に連結されている円周壁３ｋによってそれぞれ取り囲まれている。レセプタクル３ｉ、３ｊと関連するそれらのそれぞれの円周面には、円周壁３ｋ上に６つの接触面３ｌが形成され、これらの接触面３ｌは、それぞれのレセプタクル３ｉ、３ｊの中心の周りに等角度間隔で分布し、かつそのそれぞれの長さＬａは、それぞれのレセプタクル３ｉ、３ｊの円周方向に測定した場合、ボルト頭部１０ｃの側面１０ｄの長さＬｓの半分より短い。各対の隣接する接触面３ｌ間の所定の円周壁３ｋには、接触面３ｌに対して円周壁３ｋへ引っ込む凹所３ｍが形成又は成形されている。円周壁３ｋには、この場合はさらに、各凹所３ｍを画定する接触面３ｌの１つに隣接し、溝に倣って形成された荷重軽減凹所３ｎが形成又は成形され、一方で凹所３ｍは、相対的に浅い角度でそれを画定する他方の接触面に融合している。
【００４１】
それぞれのレセプタクル３ｉ、３ｊに属する接触面３ｌ、凹所３ｍ及び荷重軽減凹所３ｎの規則的分布、及びそれらの位置と寸法は、完全に設置された位置（図８）において、ボルト頭部１０ｃの側面１０ｄが接触面３ｌのそれぞれの１つに重みをかけ、かつ対の側面１０ｄ間に存在するボルト頭部１０ｃの各縁１０ｅが、所定の円周壁３ｋと接触することなく荷重軽減凹所３ｎの領域内に配置されるように選択される。
【００４２】
同様に、凹所３ｍの領域内では、ボルト頭部１０ｃと所定の円周壁３ｋの間に接触はなく、すなわち、設置中及び実作動中にボルト頭部１０ｃに作用するトルクを受けるのは接触面３ｌのみであることを意味する。このようにしてボルト頭部１０ｃがその縁１０ｅの領域の円周壁３ｋの材料に食い込むのを防止し、過荷重の結果としての円周壁３ｋへのいずれの損傷又は円周壁３ｋの破壊をも防止する。
【００４３】
従って、ベースプレート３は、通常のω形状の締付けクリップの形をとる弾力的部材８ａ、８ｂをきつく締めるときに生じるトルクに、何の問題もなく、耐えることができる。きつく締められる弾力的部材８ａ、８ｂについては、それらは、それらとそれぞれ関連する締付けボルト１０ａ、１０ｂのねじ付き軸部がそれぞれ弾力的部材８ａ及び８ｂの中心ループを通過し、かつ弾力的部材８ａ、８ｂの自由な弾力的アームがレールの脚部Ｆ上に載るように、ベースプレート３上に置かれる。次に、それぞれのねじ付き軸部にねじ込まれるナット１２を利用して、十分な押下力がレールの脚部Ｆに及ぼされるまで、弾力的部材８ａ、８ｂの中心ループがベースプレート３の方に押し付けられる。
【００４４】
その各コーナーの領域には、ベースプレート３の上側Ｏからその裏側Ｕに伸びるスリーブ用開口３ｏがベースプレート３内に形成又は成形されている。
【００４５】
４つのスリーブ用開口３ｏのそれぞれには、ベースプレート３の材料と組み合わせたときに良く滑る十分に強力な材料製の偏心スリーブ６ａ〜６ｄの１つが着座される。これらの偏心スリーブ６ａ〜６ｄは、所定の偏心スリーブ６ａ〜６ｄの中心軸Ｍｅに対して偏心的に配置される貫通開口６ｅを有する。各偏心スリーブ６ａ〜６ｄの外周面には、狭小な指標付け可能突出部６ｆが形成され、その軸は中心軸Ｍｅに平行に伸長し、かつ突出部６ｆは各偏心スリーブ６ａ〜６ｄの全高Ｈｅまで伸長する。この場合、偏心スリーブ６ａ〜６ｄは押下スリーブとして作用するように設計され、この目的のため、それらはベースプレート３の上側Ｏと関連するそれらの上縁に、カラーに倣って円形に周りに広がる突出部６ｇを有する。完全に設置された状態では、偏心スリーブ６ａ〜６ｄからの突出部６ｇがベースプレート３の上側Ｏに重みをかける。
【００４６】
４つのスリーブ用開口３ｏは、ベースプレート３のプラスチック材料で形成されている円周壁３ｐによってそれぞれ取り囲まれている。円周壁３ｐには、不規則な角度間隔αで、溝の形をとる指標付け用マーカー３ｑが形成又は成形され、これらの軸は、所定のスリーブ用開口３ｏの中心軸Ｍｈに平行に伸長し、かつその形状は各偏心スリーブ６ａ〜６ｄ上に形成される指標付け可能突出部６ｆの形状と相補的である。
【００４７】
この場合、指標付け用マーカー３ｑ及びスリーブ用開口３ｏは、それらとそれぞれ関連する偏心スリーブ６ａ〜６ｄが、それらの中でそれらの指標付け可能突出部６ｆによって滑りばめとしてかつ確実嵌合によって案内され、偏心スリーブ６ａ〜６ｄと関連するスリーブ用開口３ｏ内における偏心スリーブ６ａ〜６ｄの回転位置は固定されるが、同時にベースプレート３と所定のスリーブ６ａ〜６ｄとの間で、中心軸Ｍｅによって規定される方向に向いた相対運動が何の問題もなく可能であるようにそれぞれ設計される。
【００４８】
システム１が設置されるときには、締結ボルト７ａ〜７ｄの１つが各偏心スリーブ６ａ〜６ｄ内の貫通開口６ｅを通して挿入されてプラスチック材料のアンカー１１にねじ込まれ、これが固定底部支持体２に差し込まれる。このようにして、締結ボルト７ａ〜７ｄはそれぞれ、それらと関連する偏心スリーブ６ａ〜６ｄを回転中に調整し得る回転軸を作り出す。このようにして作り出される回転軸の、所定のスリーブ用開口３ｏの中心軸Ｍｈに対する偏心度を考慮すると、指標付け用マーカー３ｑ間の角度間隔αは、ベースプレート３が完全に設置されたときに、２つの指標付け用マーカー間の回転のそれぞれの調整が、レールＳの縦の広がりに直角方向に常に同じ大きさの距離だけベースプレート３が移動することを伴うような大きさである。このようにして、角度間隔αを例えば、偏心スリーブ６ａ〜６ｄの回転のそれぞれの調整が、１ミリメートルだけベースプレート３を動かして軌道ゲージを調整できるように設計し得る。
【００４９】
ベースプレート３上には、ベースプレート３の縁の周りに広げるため、裏側Ｕから離れる方を向くエプロン様の突出部３ｒが一体的に形成又は成形されている。この突出部３ｒは、ベースプレート３の上に立っているレールＳに沿って鉄道車両（図示せず）が走行するときにベースプレート３が生じさせる固定底部支持体２の方に向かう動きの止め具として作用する。
【００５０】
ベースプレート３中には、スリーブ用開口３ｏ及びそれらの円周壁３ｐ又はレセプタクル３ｉ、３ｊによって占められていない裏側Ｕの当該領域に、直角に交差するリブ３ｔ及びこれらのリブ３ｔ間に配置される凹部３ｕによって形成される補剛構造３ｓが形成又は成形されている。この場合、凹部３ｕは、軽量であるが寸法安定性の成形材料Ｔで充填されている。この場合、成形材料Ｔの充填は、リブ３ｔの自由な最上部と実質的に同一平面で終わるか又はリブの最上部を典型的には少なくとも２ｍｍの距離だけ越えて突出し、結果としてリブ３ｔのいずれの鋭く突き出た縁ももはや存在しない。
【００５１】
また、レールＳがベースプレート３に対して直接弾性的に支持されるように、永久的に弾性のプラスチック材料で構成される弾性層３ｖが支持面３ｃ上に噴霧される。或いは、弾性材料の予め製造されたパッドによって弾性層３ｖを形成し、それを支持面３ｃ上に載せて、特に支持面３ｃに接着接合させることもできる。
【００５２】
平面視したとき、弾性中間層４は、補剛構造３ｓによって占められる領域に対応する形状の層である。従って、システム１が完全に設置された状態のとき、補剛構造３ｓは中間層４を完全に覆う。だとしたら当然に、レールＳに沿って走行する鉄道車両によって加えられる荷重下でさえ、補剛構造３ｓの凹部３ｕ内に存在する充填材料Ｔの充填は確実に、補剛構造３ｓのリブ３ｔが中間層４に食い込まないようにする。それどころか、ベースプレート３は、常に、長期間にわたって最適な弾力的作用が維持されるような広い面積にわたって弾性中間層４上で支持される。
【００５３】
固定底部支持体２上に載っている薄いキャリアプレート５は、アブレシブ摩耗及び汚れに対して弾性中間層を保護する働きをし、かつ弾性中間層が載る平らな表面を確保する。キャリアプレート５上の適所に弾性中間層を固定するため、弾性層の外形に従う突出部５ａが、ベースプレート３と関連するキャリアプレート５の上側にレセプタクルを形成し、システム１が完全に設置されたときには、このレセプタクル内に中間層４が確実嵌合で着座される。さらに、この場合、突出部５ａは、固定底部支持体２の方に向かうベースプレート３の動きに制限を設け、かつ弾性中間層４の如何なる過剰な圧縮をも防止する止め具としても作用する。
【００５４】
押下スリーブとして作用するように設計され、かつ完全に設置された状態でキャリアプレート５上に立つ偏心スリーブ６ａ〜６ｄの高さＨｅは、ベースプレート３が、締結ボルト７ａ〜７ｄが完全に締め付けられているときでさえ規定力で弾性中間層４に対してのみ押し付けられるように選択されるという事実によって、弾性中間層４は、設置されるときの高すぎる圧縮に対しても保護される。当該力が非常に低くなければならない場合、偏心スリーブの高さＨｅは、スリーブ用開口３ｏの領域内のベースプレート３の厚さに、突出部６ｇの厚さより小さい、緩和した設置状態の弾性層の厚さを加えた厚さに対応する高さが選択される。
【符号の説明】
【００５５】
α  角度間隔
１  適所にレールＳを締結するためのシステム
２  底部支持体
３  ベースプレート
３ａ、３ｂ  ベースプレート３の外側領域
３ｃ  ベースプレート３の支持面
３ｄ、３ｅ  ベースプレート３の肩部
３ｆ  突出部
３ｇ、３ｈ  貫通開口
３ｉ、３ｊ  ベースプレート３内のレセプタクル
３ｋ  円周壁
３ｌ  接触面
３ｍ  凹所
３ｎ  荷重軽減凹所
３ｏ  スリーブ用開口
３ｐ  円周壁
３ｑ  指標付け用マーカー
３ｒ  突出部
３ｓ  補剛構造
３ｔ  リブ
３ｕ  凹部
３ｖ  弾性層
４  弾性中間層
５  キャリアプレート
５ａ  突出部
６ａ〜６ｄ  偏心スリーブ
６ｅ  スリーブ内の開口
６ｆ  指標付け可能突出部
６ｇ  突出部
７ａ〜７ｄ  締結ボルト
８ａ、８ｂ  弾力的部材
９ａ、９ｂ  アダプター部品
１０ａ、１０ｂ  締付けボルト
１０ｃ  ボルト頭部
１０ｄ  ボルト頭部１０ｃの側面
１０ｅ  ボルト頭部１０ｃの縁
１１  プラスチック材料のアンカー
１２  ナット
Ｂ  それぞれの点におけるベースプレート３の幅
Ｆ  レールの脚部
Ｈｅ  高さ
Ｌ  縦方向
Ｌａ、Ｌｓ  長さ
Ｍｅ  所定の偏心スリーブ６ａ〜６ｄの中心軸
Ｍｈ  所定のスリーブ用開口３ｏの中心軸
Ｏ  ベースプレート３の上側
Ｓ  レール
Ｔ  成形材料
Ｕ  ベースプレート３の裏側
【図１】
2013505377.tif 000003
【図２】
2013505377.tif 000004
【図３】
2013505377.tif 000005
【図４】
2013505377.tif 000006
【図５】
2013505377.tif 000007
【図６】
2013505377.tif 000008
【図７】
2013505377.tif 000009
【図８】
2013505377.tif 000010
【図９】
2013505377.tif 000011
【国際調査報告】
2013505377.tif 000012
2013505377.tif 000013
2013505377.tif 000014
2013505377.tif 000015
2013505377.tif 000016
2013505377.tif 000017
2013505377.tif 000018
2013505377.tif 000019